(57)【要約】      （修正有）【課題】複数色を含む建築板に対して、隣接する部材の色を決定する際にコストを省くことができる、画像生成装置、画像生成方法及びプログラムを提供する。【解決手段】画像提示システム１において、複数色を含む建築板に対して、隣接する部材の色を決定するために用いられる画像生成装置３は、細幅画像生成部３３と、合成画像生成部３４と、を備える。細幅画像生成部３３は、建築板の画像から前記複数色のうちの少なくとも一の色を抽出し、この抽出した一の色から細幅画像を生成する。合成画像生成部３４は、建築板の画像に対し、細幅画像を重ねて合成画像を生成する。【選択図】図２
2020149609.tif 000002
【特許請求の範囲】
【請求項１】
複数色を含む建築板に対して、隣接する部材の色を決定するために用いられる画像生成装置であって、
前記建築板の画像から前記複数色のうちの少なくとも一の色を抽出し、この抽出した一の色から細幅画像を生成する細幅画像生成部と、
前記建築板の画像に対し、前記細幅画像を重ねて合成画像を生成する合成画像生成部と、
を備える、
画像生成装置。
【請求項２】
前記建築板の画像は、建築板を撮像して得た画像である、
請求項１記載の画像生成装置。
【請求項３】
前記細幅画像の幅が、前記部材の幅と同じである、
請求項１又は請求項２記載の画像生成装置。
【請求項４】
前記部材は、隣り合う建築板の間に設けられるシーリング部材である、
請求項１〜３のいずれか一項に記載の画像生成装置。
【請求項５】
前記部材は、建築板に隣接する出隅材であり、
前記細幅画像の幅が、前記出隅材の面取り部の幅と同じである、
請求項１又は請求項２記載の画像生成装置。
【請求項６】
出力装置に対し、前記合成画像を出力するための情報を出力する出力部を更に備える、
請求項１〜５のいずれか一項に記載の画像生成装置。
【請求項７】
複数色を含む建築板に対して、隣接する部材の色を決定するために用いられる画像生成方法であって、
前記建築板の画像から前記複数色のうちの少なくとも一の色を抽出し、この抽出した一の色から細幅画像を生成する細幅画像生成工程と、
前記建築板の画像に対し、前記細幅画像を重ねる画像重ね工程と、
を備える、
画像生成方法。
【請求項８】
複数色を含む建築板に対して、隣接する部材の色を決定するために、コンピュータを、
前記建築板の画像から前記複数色のうちの少なくとも一の色を抽出し、この抽出した一の色から細幅画像を生成する細幅画像生成部、及び
前記建築板の画像に対し、前記細幅画像を重ねて合成画像を生成する合成画像生成部、
として機能させるためのプログラム。
【発明の詳細な説明】
【技術分野】
【０００１】
本発明は、画像生成装置、画像生成方法及びプログラムに関し、より詳細には、複数色を含む建築板に対して、隣接する部材の色を決定するために用いられる画像生成装置、画像生成方法及びプログラムに関する。
【背景技術】
【０００２】
特許文献１には、複数の建築板を施工した断熱壁が記載されている。特許文献１に記載の断熱壁は、複数の建築板を備える。各建築板は、幅方向の一方に形成された雄実と、他方に形成された雌実と、を備える。
【０００３】
複数の建築板の幅方向の端部同士は、雄実と雌実とを実継ぎすることで接続されている。複数の建築板同士の長さ方向の端面同士は、バックアップ材を挟んで配置されている。バックアップ材と建築板の端面との間には、シーリング材が充填されている。
【先行技術文献】
【特許文献】
【０００４】
【特許文献１】特開２００９−２７０２７１号公報
【発明の概要】
【発明が解決しようとする課題】
【０００５】
ところで、一般に、隣り合う建築板の間に配置されるシーリング材は、互いに異なる色を持つ複数種類のシーリング材から選択される。ここで、異なる色を持つ複数種類のシーリング材から、施工に用いられるシーリング材を選ぶ際には、建築板の色に基づいて選択されることが多い。
【０００６】
しかし、従来では、建築板とシーリング材との色が合うかどうかは、実際に、建築板に対してシーリング材を施工した状態を目視で確認して決めており、手間及び材料費がかさみ、コストが掛かるという問題がある。
【０００７】
本発明は、上記事情に鑑みてなされ、複数色を含む建築板に対して、隣接する部材の色を決定する際にコストを省くことができる、画像生成装置、画像生成方法及びプログラムを提供することを目的とする。
【課題を解決するための手段】
【０００８】
本発明に係る一態様の画像生成装置は、複数色を含む建築板に対して、隣接する部材の色を決定するために用いられる画像生成装置である。前記画像生成装置は、細幅画像生成部と、合成画像生成部と、を備える。前記細幅画像生成部は、前記建築板の画像から前記複数色のうちの少なくとも一の色を抽出し、この抽出した一の色から細幅画像を生成する。前記合成画像生成部は、前記建築板の画像に対し、前記細幅画像を重ねて合成画像を生成する。
【０００９】
本発明に係る一態様の画像生成方法は、複数色を含む建築板に対して、隣接する部材の色を決定するために用いられる画像生成方法である。前記画像生成方法は、細幅画像生成工程と、画像重ね工程と、を備える。前記細幅画像生成工程は、前記建築板の画像から前記複数色のうちの少なくとも一の色を抽出し、この抽出した一の色から細幅画像を生成する。前記画像重ね工程は、前記建築板の画像に対し、前記細幅画像を重ねる。
【００１０】
本発明に係る一態様のプログラムは、複数色を含む建築板に対して、隣接する部材の色を決定するために、コンピュータを、細幅画像生成部及び合成画像生成部として機能させるためプログラムである。前記細幅画像生成部は、前記建築板の画像から前記複数色のうちの少なくとも一の色を抽出し、この抽出した一の色から細幅画像を生成する。前記合成画像生成部は、前記建築板の画像に対し、前記細幅画像を重ねて合成画像を生成する。
【発明の効果】
【００１１】
本発明に係る上記態様の画像生成装置、画像生成方法及びプログラムは、複数色を含む建築板に対して、隣接する部材の色を決定する際に、コストを省くことができる、という利点がある。
【図面の簡単な説明】
【００１２】
【図１】図１Ａは、本発明の一実施形態に係る建築板の一部を拡大した正面図である。図１Ｂは、同上の建築板の合成画像を現わす図である。
【図２】図２は、画像提示システムのブロック図である。
【図３】図３は、画像提示システムのフローチャートである。
【図４】図４〜図４Ｅは、変形例１に係る出隅材の製造過程を説明する斜視図である。
【発明を実施するための形態】
【００１３】
（１）実施形態
（１．１）画像生成方法
（１．１．１）概略
本実施形態に係る画像生成方法は、複数の色（以下複数色）を含む建築板６に対して隣接する部材を選ぶ際に用いられる画像を生成する方法である。ユーザは、この画像を参照することで、施工した複数の建築板６に対して、隣接する部材を実際に配置したときの外観を目視で確認することができる。
【００１４】
本実施形態に係る画像生成方法では、複数の色を含む建築板６を撮像して得た画像に対し、画像から抽出した色からなる細幅の画像（ここでは帯状の画像）を重ね合わせて、合成画像５を生成する。ユーザは、この合成画像５を見ることで、建築板６と隣接する部材とを直接的に並べて観察することができるため、施工後の態様をイメージしやすく、部材の色を決定する際の判断が容易になる。
【００１５】
（１．１．２）詳細
本実施形態に係る画像生成方法は、撮像工程と、細幅画像生成工程と、画像重ね工程と、を備える。ここでは、建築板６として、窯業系サイディングを一例として説明するが、建築板６は、例えば、金属サイディング、ＡＬＣ（Autoclaved Lightweight aerated Concrete）、木質板等であってもよく、材質には制限はない。また、本実施形態に係る建築板６は、外壁板であるが、例えば、内壁板、間仕切り板、天井板、軒天井板、床板、屋根板等であってもよく、具体的な用途に制限はない。建築板６は、複数の凸部６１と、複数の凸部６１の間に位置する凹部６２と、を備える。凹部６２は、凸部６１の間の疑似目地である。本実施形態に係る建築板６は、凸部６１と凹部６２とで異なる色が付されている。
【００１６】
本開示でいう「異なる色が付される」とは、印刷又は塗装によって、複数箇所で互いに異なる色が着色されることのほか、例えば、一部を除いて着色した結果、下地色と塗装色とで異なる色になっていることも含む。また、ここでいう「建築板６」には、製品サイズの建築板６だけでなく、サンプルとしての建築板６も含む。
【００１７】
本実施形態では、建築板６と隣接する部材として、シーリング部材を用いて説明する。本実施形態では、幅方向に隣り合う建築板６同士は、実継ぎにより接続されるが、長さ方向に隣り合う建築板６同士は、シーリング部材を介して接続される。要するに、シーリング部材は、長さ方向に隣り合う建築板６の間に設けられる。
【００１８】
撮像工程は、実際の建築板６を撮影して画像データ（以下、撮像データ）を生成する工程である。撮像データは、例えば、イメージセンサを有するカメラを用いて、建築板６を撮像して得たＲＡＷデータであってもよいし、ＲＡＷデータを処理した画像データ（例えば、ＪＰＥＧデータ）であってもよい。
【００１９】
細幅画像生成工程は、建築板６の画像２１から複数色のうちの少なくとも一の色を抽出し、この抽出した一の色から細幅画像を生成する工程である。本実施形態に係る細幅画像生成工程では、凸部６１の色を抽出し、この凸部６１の色から一の細幅画像（以下、凸部色細幅画像５１）を生成し、凹部６２の色を抽出し、この凹部６２の色から一の細幅画像（以下、凹部色細幅画像５２）を生成する。
【００２０】
細幅画像５１，５２の幅は、例えば、選択対象となる部材（建築板６に隣接する部材）の幅と同じであることが好ましい。本実施形態に係る細幅画像５１，５２の幅は、シーリング部材の幅と同じである。本開示でいう「同じ」とは、厳密な意味での同一を意味するのではなく、合成画像５を見たユーザが、細幅画像５１，５２とシーリング部材とで共通した印象を受ける幅であれば、本開示でいう「同じ」の範疇である。
【００２１】
画像重ね工程は、建築板６の画像２１に対し、細幅画像５１，５２を重ねる。画像重ね工程では、図１Ｂに示すように、建築板６の画像データに対し、凸部色細幅画像５１と、凹部色細幅画像５２と、を重ねて、合成画像５を生成する。本実施形態では、細幅画像５１，５２の長さ方向は、建築板６の幅方向に略平行である。
【００２２】
本実施形態では、細幅画像生成工程の後に、画像重ね工程が実行されるが、細幅画像生成工程と画像重ね工程とは同時に実行されてもよい。例えば、ユーザが、グラフィックソフトウェアにおいて、ポインティングデバイスを操作して、建築板６の画像２１の上から、凸部色細幅画像５１及び凹部色細幅画像５２を描いて、合成画像５を生成してもよい。
【００２３】
本実施形態に係る画像生成方法で生成された合成画像５は、ユーザに提示されることで、ユーザは、建築板６に合う色のシーリング部材を選択することができる。また、建築板６に含まれる複数の色のうちから一の色を選択するため、ユーザが違和感を受けにくい色を選択することができる。
【００２４】
本実施形態に係る画像生成方法によれば、建築板６と、これに隣接する部材とを実際に施工しなくても、建築板６とこれに隣接する部材との色合わせを行うことができるため、手間及び材料費を削減でき、コストを省くことができる。
【００２５】
（１．２）画像提示システム
以下では、本実施形態に係る画像生成方法を実現可能な画像提示システム１の一例を説明する。本実施形態に係る画像提示システム１は、建築板６を撮像して得た画像２１から、上記合成画像５を生成し、合成画像５をユーザに対して提示するシステムである。本実施形態に係る画像提示システム１は、図２に示すように、撮像部２と、画像生成装置３と、出力装置４と、を備える。
【００２６】
（１．２．１）撮像部
撮像部２は、建築板６を撮像して、撮像データを生成する。撮像部２は、本実施形態では、イメージセンサを持つカメラである。イメージセンサは、例えば、ＣＭＯＳ（Complementary Metal Oxide Semiconductor）イメージセンサ、ＣＣＤ（Charge-CoupledDevice）イメージセンサ等が挙げられる。撮像部２によって生成された撮像データは、画像生成装置３に出力される。なお、撮像部２によって生成されるデータは、上記に限らず、例えばフィルムカメラで撮影した写真をスキャナ等で読み取った画像データであってもよい。
【００２７】
（１．２．２）画像生成装置
画像生成装置３は、複数色を含む建築板６に対して、隣接する部材の色を決定するために用いられる装置である。本実施形態に係る画像生成装置３によれば、合成画像５を生成することができる。本実施形態に係る画像生成装置３は、図２に示すように、入力部３１と、処理部３２と、出力部３５と、記憶部３６と、を備える。
【００２８】
（１．２．２．１）入力部
入力部３１には、撮像データが入力される。入力部３１は、例えば、通信インターフェイス、メディアインターフェイス及びプロセッサで実現される。撮像部２で生成された画像データは、本実施形態では、記録媒体によって入力部３１に入力される。記録媒体は、例えば、ＤＶＤ（Digital Versatile Disc）、ＰＤ（Phase change rewritable Disk）等の光学記録媒体、ＭＯ（Magneto-Optical disk）等の光磁気記録媒体、テープ媒体、磁気記録媒体、導体メモリ等が挙げられる。ただし、本開示では、入力部３１と撮像部２とが通信ネットワークを介してデータを授受可能に接続されてもよい。この場合、撮像データは、通信ネットワークを介して入力部３１に入力される。
【００２９】
通信ネットワークとしては、例えば、伝送制御プロトコル／インターネット・プロトコル（ＴＣＰ／ＩＰ）、ＧＳＭやＣＤＭＡやＬＴＥ等のモバイルデータ通信ネットワーク、Bluetooth（登録商標）、wi-fi（登録商標）、Ｚ−ＷＡＶＥ、Insteon、EnOcean、ZigBee、HomePlug（登録商標）、ＭＱＴＴ（Message Queueing Telemetry Transport）、ＸＭＰＰ（extensible messaging andpresence protocol）、ＣｏＡＰ（constrained application protocol）等、又はこれらの組み合わせが例示される。また、通信ネットワークは、企業内ネットワークのような通信範囲が制限されたネットワークであってもよい。
【００３０】
入力部３１に入力された撮像データは、記憶部３６に出力されると共に処理部３２に出力される。
【００３１】
（１．２．２．２）処理部
処理部３２は、撮像データに対して各種処理を実行する。画像生成装置３は、例えば、プロセッサ及びメモリを有するマイクロプロセッサを備える。プロセッサは、メモリに記憶されているプログラムを実行することによって、処理部３２として機能する。言い換えると、上記プログラムは、複数色を含む建築板６に対して、隣接する部材の色を決定するために、コンピュータを、処理部３２（細幅画像生成部３３及び合成画像生成部３４）として機能させるためのプログラムである。処理部３２は、細幅画像生成部３３と、合成画像生成部３４と、を備える。
【００３２】
（１．２．２．２．１）細幅画像生成部
細幅画像生成部３３は、建築板６の画像２１内の複数色のうちから少なくとも一の色を抽出し、この抽出した一の色から細幅画像５１，５２を生成する。本実施形態では、撮像データにおける凸部６１に対応する箇所の色を抽出して、当該色から形成された凸部色細幅画像５１と、撮像データにおける凹部６２に対応する箇所の色を抽出して、当該色から形成された凹部色細幅画像５２と、を生成する。
【００３３】
細幅画像生成部３３において抽出する撮像画像に含まれる色は、凸部６１と凹部６２との位置を画像解析によって判別して、抽出を行ってもよいし、ユーザが適宜選択してもよい。ユーザが選択する場合、凸部６１と凹部６２とに限らず、建築板６の撮像データ上の異なる色の箇所を適宜選択してもよい。
【００３４】
細幅画像生成部３３で生成した画像データは、記憶部３６及び合成画像生成部３４に出力される。
【００３５】
（１．２．２．２．２）合成画像生成部
合成画像生成部３４は、建築板６の画像２１に対し、細幅画像５１，５２を重ねて合成画像５を生成する。合成画像生成部３４は、建築板６の画像２１を構成する撮像データと、凸部色細幅画像５１及び凹部色細幅画像５２を構成する画像データと、を記憶部３６から読み出し、図１Ｂに示すように、建築板６の画像２１に対して凸部色細幅画像５１及び凹部色細幅画像５２の重畳処理を実行し、合成画像５を生成する。
【００３６】
合成画像生成部３４で生成された合成画像５の画像データは、出力部３５に出力される。
【００３７】
（１．２．２．３）出力部
出力部３５は、出力装置４で処理可能な、合成画像５を表示するためのデータを出力する。出力部３５は、通信インターフェイス及びプロセッサで実現される。本実施形態に係る出力部３５は、出力装置４に対して、通信ネットワークを介してデータを授受可能に接続されている。出力部３５は、合成画像生成部３４から画像データを受け取ると、出力装置４で処理可能なデータに変換し、出力処理を実行可能とする。
【００３８】
出力部３５は、メディアインターフェイスを備えてもよく、出力部３５から出力装置４へのデータの移動は、通信ネットワークのほか、記録媒体を介して行われてもよい。
【００３９】
（１．２．３）出力装置
出力装置４は、出力部３５から送信されたデータが入力されると、画像を出力する。要するに、出力装置４は、画像生成装置３で生成された合成画像５のデータを用いて画像を出力する。出力装置４は、本実施形態では、ディスプレイであるが、例えば、プリンタ、タブレット端末、スマートフォン等であってもよい。出力装置４で出力された画像（映像を含む）を参照して、ユーザは、建築物に隣接する部材についての色合わせを行うことができ、当該部材について複数種類の中から一の部材を選択することができる。
【００４０】
（１．３）動作
次に、画像提示システム１の動作の一例を図３のフローチャートを用いて説明する。
【００４１】
ユーザは撮像部２を用いて、複数色を含むように塗装された建築板６を撮像する。撮像部２は撮像データを生成する（ステップ１）。
【００４２】
撮像部２で生成された撮像データが画像生成装置３に入力される。撮像データが入力された画像生成装置３は、細幅画像生成部３３によって、凹部６２の色を抽出する（ステップ２）。
【００４３】
凹部６２の色を抽出した後、合成画像生成部３４は、建築板６の画像２１に対して凹部色細幅画像５２を重畳し、合成画像５を生成する（ステップ３）。
【００４４】
また、細幅画像生成部３３は凸部６１の色を抽出し（ステップ４）、合成画像生成部３４は、ステップ３で生成した合成画像５に対して凸部色細幅画像５１を重畳し、合成画像５を生成する（ステップ５）。
【００４５】
画像生成装置３は、生成した合成画像５のデータを出力装置４（ここではディスプレイ）に出力し、ディスプレイは合成画像５を表示する（ステップ６）。
【００４６】
なお、ステップ４，５は、ステップ２，３よりも前に実行されてもよいし、ステップ２，３と同時に実行してもよい。また、ステップ２，３の後、ステップ４，５を経由しないで、ステップ６を実行してもよい。
【００４７】
（２）変形例
上記実施形態は、本開示の様々な実施形態の一つに過ぎない。実施形態は、本開示の目的を達成できれば、設計等に応じて種々の変更が可能である。以下に説明する変形例は、適宜組み合わせて適用可能である。
【００４８】
（２．１）変形例１
上記実施形態に係る部材は、シーリング部材であったが、本変形例に係る部材は、建築板６に隣接する出隅材７である。
【００４９】
出隅材７は、建築物において外壁面が交差する出隅部を形成する材である。本変形例に係る出隅材７は、出隅部専用の建築用部材である。ただし、本開示に係る「出隅材７」は、建築板６の端部を直接加工するものも含む。この場合、出隅部を形成する建築板６を「出隅材７」という。
【００５０】
本変形例に係る出隅材７は、図４Ｅに示すように、断面略Ｌ字状に形成されており、コーナ部分に面取り部７１が形成されている。
【００５１】
出隅材７は、例えば、図４Ａ〜Ｅのように形成される。図４Ａ及び４Ｂに示すように、建築板６と同じ塗料で塗装された一対の平板７２から形成される。一対の平板７２において、隣り合う端部の裏側の角部７２１を、平板７２の主面に対して傾斜する面に沿ってカットする（ここでは主面に対して４５°でカットする）。ここでいう「主面」とは平板７２の厚み方向に直交する一面を意味する。次いで、図４Ｃに示すように、一対の平板７２においてカットした後の端面同士を突き合わせ、両者を接着材によって接着し、接着剤を硬化させる（これを基材７０という）。
【００５２】
この後、図４Ｄに示すように、基材７０の角部７３を切削して面取り加工を行い、出隅材７のコーナ部分に面取り部７１を形成する。面取り部７１は、平面状に切削されてもよいし、曲面状に切削されてもよい。本変形例に係る面取り部７１では、面取り加工の際に切削することで、塗装層が削られる。このため、面取り部７１には、図４Ｅに示すように、シーラーが塗られた後、塗装がなされる。この面取り部７１の塗装を選択する際に、上記実施形態と同様の画像生成方法又は画像生成装置を用いることができる。
【００５３】
画像生成方法又は画像生成装置において、合成画像５を生成する際には、平板７２の画像２１内の複数色のうちから少なくとも一の色を抽出し、この抽出した一の色から細幅画像を生成する。このとき細幅画像の幅を、面取り部７１の幅と同じとすることが好ましい。なお、合成画像５を生成する際、平板７２に隣接する建築板６の画像内の複数色のうちから少なくとも一の色を抽出し、この抽出した一の色から細幅画像を生成してもよい。
【００５４】
ユーザは、上記実施形態と同様の画像生成方法又は画像生成装置で生成した合成画像５を見ることで、出隅材７の面取り部７１と建築板６（又は平板７２）とを直接的に並べて観察することができるため、施工後の態様をイメージしやすく、面取り部７１の色を決定する際の判断が容易になる。
【００５５】
なお、本変形例では、面取り部７１の塗装色を選択する際に、画像生成方法又は画像生成装置を用いることを例示したが、本開示では、面取り部７１に塗装された状態の複数種類の出隅材７から、一の出隅材７を選択する際に用いられてもよい。
【００５６】
（２．２）その他の変形例
以下、実施形態の変形例を列挙する。
【００５７】
上記実施形態に係る画像生成方法では、撮像工程を備えたが、撮像工程はなくてもよい。画像は撮像データでなくてもよく、コンピュータグラフィックス（computer graphics）による画像データであってもよい。
【００５８】
部材は、上記実施形態のようなシーリング部材、又は上記変形例のような出隅材に限らず、例えば、回り縁、乾式の目地材、枠材、胴差、水切り材等であってもよい。
【００５９】
上記実施形態では、凸部６１と凹部６２との色をそれぞれ抽出したが、凸部６１に付された複数色から色を抽出して合成画像５を形成してもよい。さらには、複数の色データをメモリに記録させ、建築板６の画像に含まれる色を複数抽出し、抽出した色及び抽出色の中間色をメモリから読み出して合成画像５を生成してもよい。また、上記実施形態に係る合成画像５では、一の建築板６の画像２１に対して、二つの細幅画像５１，５２を重ねたが、本開示では、一の建築板６の画像２１に対して一つの細幅画像（例えば、凸部色細幅画像５１）を重ね、別の建築板６の画像２１に対して別の細幅画像（例えば、凹部色細幅画像５２）を重ね、細幅画像ごとに複数の合成画像５を形成し、複数の合成画像５を参照して、色合わせをおこなってもよい。
【００６０】
上記実施形態に係る画像提示システム１では、画像生成装置３、撮像部２及び出力装置４は、それぞれが別体であったが、本開示では、画像生成装置３、撮像部２及び出力装置４が一つの筐体に収まっていてもよく、要するに、画像生成装置３、撮像部２及び出力装置４は一体であってもよい。
【００６１】
上記実施形態に係る合成画像５では、細幅画像の幅は、部材の幅と同じであったが、同じでなくてもよい。また、細幅画像の長さ方向は、建築板６の幅方向に略平行でなくてもよく、建築板６の長さ方向に略平行であってもよいし、建築板６の長さ方向に対して傾いていてもよい。
【００６２】
（３）態様
以上説明したように、第１の態様に係る画像生成装置３は、複数色を含む建築板６に対して、隣接する部材の色を決定するために用いられる画像生成装置３である。画像生成装置３は、建築板６の画像２１から複数色のうちの少なくとも一の色を抽出し、この抽出した一の色から細幅画像を生成する細幅画像生成部３３と、建築板６の画像２１に対し、細幅画像を重ねて合成画像５を生成する合成画像生成部３４と、を備える。
【００６３】
この態様によれば、ユーザは、画像生成装置３で生成された合成画像５をみて、建築板６と隣接する部材とを直接的に並べて観察することができるため、施工後の態様をイメージしやすく、部材の色を決定する際の判断が容易になる。また、この態様によれば、実際に、建築板６に対して部材を施工する必要がないため、ユーザは時間を掛けずに、部材選定の判断を行うことができる。
【００６４】
第２の態様に係る画像生成装置３では、第１の態様において、建築板６の画像２１は、建築板６を撮像して得た画像である。
【００６５】
この態様によれば、実際の建築板６から得た画像データを用いて、合成画像５を生成することができるため、施工後のイメージにより近い合成画像５を生成することができる。
【００６６】
第３の態様に係る画像生成装置３では、第１又は第２の態様において、細幅画像の幅が、部材の幅と同じである。
【００６７】
この態様によれば、建築板６に対して、実際の部材の幅に対応した細幅画像を重ねることができるため、施工後のイメージにより近い合成画像５を生成することができる。
【００６８】
第４の態様に係る画像生成装置３では、第１〜第３のいずれか一つの態様において、部材は、隣り合う建築板６の間に設けられるシーリング部材である。
【００６９】
この態様によれば、ユーザに対し、シーリング部材の色の選択の判断を容易にさせることができる。
【００７０】
第５の態様に係る画像生成装置３では、第１又は第２の態様において、部材は、建築板６に隣接する出隅材であり、細幅画像の幅が、出隅材の面取り部の幅と同じである。
【００７１】
この態様によれば、ユーザに対し、面取り部の色を考慮した出隅材の選択の判断を容易にさせることができる。
【００７２】
第６の態様に係る画像生成装置３では、第１〜第５のいずれか一つの態様において、出力装置４に対し、合成画像５を出力するための情報を出力する出力部３５を更に備える。
【００７３】
この態様によれば、ユーザに対して、ディスプレイ表示、印刷物等の方法で、合成画像５を見せることができる。
【００７４】
第７の態様に係る画像生成方法は、複数色を含む建築板６に対して、隣接する部材の色を決定するために用いられる画像生成方法である。画像生成方法は、建築板６の画像２１から複数色のうちの少なくとも一の色を抽出し、この抽出した一の色から細幅画像を生成する細幅画像生成工程と、建築板６の画像２１に対し、細幅画像を重ねる画像重ね工程と、を備える、
この態様によれば、ユーザは、画像生成装置３で生成された合成画像５をみて、建築板６と隣接する部材とを直接的に並べて観察することができるため、施工後の態様をイメージしやすく、部材の色を決定する際に判断が容易になる。
【００７５】
第８の態様に係るプログラムは、複数色を含む建築板６に対して、隣接する部材の色を決定するために、コンピュータを、細幅画像生成部３３及び合成画像生成部３４として機能させるためのプログラムである。細幅画像生成部３３は、建築板６の画像２１から前記複数色のうちの少なくとも一の色を抽出し、この抽出した一の色から細幅画像を生成する。合成画像生成部３４は、建築板６の画像２１に対し、細幅画像を重ねて合成画像５を生成する。
【００７６】
この態様によれば、コンピュータにて、合成画像５を生成することができる。
【００７７】
第２〜第６の態様に係る構成については、画像生成装置３に必須の構成ではなく、適宜省略可能である。
【符号の説明】
【００７８】
２１      画像
３        画像生成装置
３３      細幅画像生成部
３４      合成画像生成部
３５      出力部
５        合成画像
５１      凸部色細幅画像（細幅画像）
５２      凹部色細幅画像（細幅画像）
４        出力装置
６        建築板
【図１】
2020149609.tif 000003
【図２】
2020149609.tif 000004
【図３】
2020149609.tif 000005
【図４】
2020149609.tif 000006